(57)【要約】【課題】  ドラム式のオルゴールで、簡単に曲を交換できるオルゴール装置を提供すること。【解決手段】  駆動源２１と駆動歯車２４を備えたホルダー１０と、駆動部２０の駆動力が伝達されて回転するドラム歯車４２、ドラム４１及び、振動板４５を備えたカセット３０が別に設けられているため、別の曲を聴く場合には、カセット３０をホルダー１０から取り外し、同様に別の曲が入ったカセット３０を装着するだけで、曲交換が簡単に実現可能となることを特徴とするオルゴール装置。【選択図】図１
0003123291.tif 000002
【実用新案登録請求の範囲】
【請求項１】
駆動源と、前記駆動源からの駆動力で回転する駆動歯車を含む駆動部と、楽曲に合わせて植設されたピンを有するドラムと、前記楽曲に合わせて調律され前記ドラムのピンに弾かれて発音する櫛歯状の振動弁を有する振動板とを含むオルゴール部を個別に独立して備え、前記駆動部で駆動されて、前記楽曲を演奏する事を特徴とするオルゴール装置。
【請求項２】
前記駆動部を保持するホルダー、前記オルゴール部のドラムと一体回転するドラム歯車を収納するカセット、前記駆動歯車と前記ドラム歯車の噛み合いを、一定の力で保持させる連結部材を備え、ホルダーに対してカセットを着脱自在に交換可能にした事を特徴とする請求項１記載のオルゴール装置
【考案の詳細な説明】
【考案の詳細な説明】
【技術分野】
【０００１】  本考案は、ドラムにより振動板を弾いて楽曲を演奏するオルゴール装置に関する。
【背景技術】
【０００２】  従来からドラムで振動板を弾き楽曲の演奏をするオルゴール装置は、楽曲に対応した一対のドラムと振動板と、オルゴールを駆動させる駆動源と、その駆動源の速度を調整する調速機構をフレームに固定して構成されており、ドラムに設けられた複数のピンが、振動板に設けられた複数の振動弁を弾くことで発音する。そして、ドラムに設けられた複数のピンと、複数の振動弁との係合位置や、振動弁の厚さ等をオルゴール装置の演奏の音量やリズムが最適となるように調整して、楽曲の演奏を実現する構成となっている。
【考案が解決しようとする課題】
【０００３】  ドラムで振動板を弾き演奏させるスタイルのオルゴールの場合、同一のフレーム内に駆動部が一体固定されて、音楽を演奏させる構造となっている。振動板とドラムは曲に対応して一対になっており、別の曲の演奏を聴くためには、フレームを含む駆動部ごとオルゴールを交換する必要が有る。
更に、オルゴール付の商品の場合、オルゴールがその商品の内部に一体固定されている為、例えば好みの曲の演奏を聴く為には、好みの曲が入っている商品で聴くしか方法がない。
【０００４】そこで本考案は、このような点に鑑みてなされたものであり、その目的は、オルゴール入りのカセットを交換するだけで、好みの曲を好きな時に演奏可能なオルゴール装置を提供する事にある。
【課題を解決する為の手段】
【０００５】以上のような課題を解決するために、本考案は、以下のものを提供する。
【０００６】  駆動源と、前記駆動源からの駆動力で回転する駆動歯車を含むホルダー、楽曲に合わせて植設されたピンを有し、且つドラムと一体回転するドラム歯車を有するドラムと、前記楽曲に合わせて調律され前記ドラムのピンに弾かれて発音する櫛歯状の振動弁を有する振動板とを含むオルゴール部を収納するカセット、前記ホルダーに前記カセットを装着した時、前記駆動歯車と前記ドラム歯車の噛み合いを、一定の力で保持させる連結部材を備え、且つ前記ホルダーに対して前記カセットの着脱を容易にした事を特徴とするオルゴール装置
【考案の効果】
【０００７】本考案によれば、駆動源や駆動歯車を備えたホルダーと、駆動部の駆動力が伝達されて回転するドラム歯車、ドラム及び、振動板を備えたカセットが別に設けられているため、別の曲を聴く場合には、カセットをホルダーから取り外し、同様に別の曲が入ったカセットを装着するだけで、曲交換が簡単に実現可能となる。
【０００８】  更に、シリンダー式オルゴール入りのカセット及びホルダーを標準化しておく事により、この標準化ユニットを組み込んだ商品構成が可能になり、演奏曲目が変更可能な商品の提供が容易となり、シリンダーオルゴールの更なる普及に貢献できるオルゴール装置の提供に貢献できる。
【考案を実施するための最良の形態】
【０００９】以下、本考案に関するオルゴール装置の最良の形態について、図面を参照しながら説明する。図１〜１４は、本考案のオルゴール装置の一実施形態を示す説明図である。
［ホルダーの構成］【００１０】本実施形態に拘わるホルダー１０は、図３〜５で示すように、ベースプレート１１に駆動部２０と、保持部材５０が一定固定されて構成されている。【００１１】図６で示すように、駆動部２０は、駆動源２１と、プレート２２と、伝達歯車２３と、駆動歯車２４とよりなる。【００１２】駆動源２１は、プレート２２に一体固定され、伝達歯車２３と駆動歯車２４は、プレート２２に回転自在に保持されている。以下では、駆動源をモータの実施例で説明するが、駆動源は、速度を調整する調速機構をもつゼンマイ駆動も同様である。【００１３】又、ベースプレート１１には、カセット３０を位置きめ保持する為の凹部１２が設けられ、更に図７で示すような、カセット３０が挿入された時、下ケース３１を固定する為の顎部５１を有する保持部材５０が、固定部５２で一定固定されている。【００１４】更に、ベースプレート１１には、カセット３０を駆動させる駆動歯車２４の噛み合いを可能にする、切欠き穴１３及び、ベースプレート１１を別の部材（図略）に一体固定する為の取付穴１４が設けられている。
［カセットの構成］【００１５】図８〜１０で示すように、カセット３０は、下ケース３１にオルゴール部４０と、上ケース３２が一体固定され構成されている。【００１６】図１１で示すように、オルゴール部４０は、ドラム４１と、ドラム歯車４２と、振動板４３と、フレーム４４とよりなる。【００１７】  ドラム４１は、フレーム４４に回転自在に保持され、その一方側にドラム歯車４２を取付けており、駆動部２０からの駆動力を受けて、ドラム歯車４２と一体回転する。またドラム４１の表面には、図示しない複数のピンが楽曲と対応するように所定の演奏パートに従って植設されている。【００１８】  振動板４３は、所定の楽曲に合わせて調律された複数の櫛歯状の各弾性片である振動弁４５を有し、ドラム４１に植設された図示しない複数のピンと、振動弁４５の前縁とが係合可能な位置に対峙してフレーム４４に一体固定される。【００１９】なお、「楽曲にあわせて調律」とは、櫛歯状の各弾性片の櫛歯からなる振動弁の長さ、幅、厚みを変えることで、楽曲を構成する固有の音程を発音するように振動弁等の部品を調整することをいう。【００２０】又、下ケース３１には、オルゴール部４０が取り付けられた時、ドラム歯車４２を突出させるための穴３３が設けられている。
［駆動作動の説明］【００２１】図１、２で示すように、カセット３０をホルダー１０の凹部１２に挿入すると、カセット３０が位置決めされ、更に保持部材５０の顎部５１が、下ケース３１に引っかかる事により、カセット３０が定位置で固定される。【００２２】この時、オルゴール部４０のドラム歯車４２と、駆動部２０の駆動歯車２４が噛み合い状態で保持される。【００２３】駆動部２０の駆動源２１が回転すると、伝達歯車２３を介して駆動歯車２４が回転する。この駆動力が、ドラム歯車４２に伝達され、ドラム４１が一体回転を始める事により、カセット３０が１つの楽曲を演奏する。【００２４】カセット３０をホルダー１０の凹部１２から取り出すと、保持部材５０の顎部５１と、下ケース３１の係合が外れ、同時にドラム歯車４２と伝達歯車２３の噛み合いが外れ、駆動伝達が断たれる。【００２５】また、ホルダー１０のベースプレート１１に設けられている取付穴１４を利用して、別部材にホルダー１０を取り付ける事により、上記のホルダー１０に対するカセット３０の交換機能を有する商品を、簡単な構造で且つ、容易に構成する事ができる。尚、ベースプレート１１と別部材の固定は、取付穴１４の使用には限定せず接着でも良い。【００２６】以上説明したように、本形態のオルゴール装置では、１つの楽曲に対応したドラム４１と振動板４３入りのカセット３０を、駆動部２０が一体固定されているホルダー１０に装着するだけで、オルゴール演奏を聴くことが可能である。従って、１つのホルダー１０に複数のカセット３０を備えておけば、そのカセットの数だけの楽曲を演奏できる商品が提供できる。【００２７】更に、前記ホルダー１０は、標準化したユニット構成となっているため、このホルダーを商品に取付けるだけで、曲交換が可能な商品化が簡単に実現できる。【００２８】（別の実施形態例）
前記の実施例では、オルゴールの演奏は、スイッチ（図略）がＯＮで開始し、ＯＦＦで終了する。しかし、駆動源２１がモータの場合、用途によっては、１つの楽曲毎にドラム演奏をＯＮ，ＯＦＦさせる必要が生じる。ここでは本機能を満足させる実施形態例を以下に示す。【００２９】図１２に示すように、オルゴール部４０のドラム４１に、ドラム歯車４２とは別に切欠き部４７を有するカム４６が、所定の位置に一体固定されている。【００３０】更に図１３で示すように、ホルダー１０には、カム４７と係合して駆動源２１の回転、停止を制御するためのレバー１６を有するスイッチ１５が、固定されている。【００３１】図１３で示すように、カセット３０をホルダー１０に装着した時、レバー１６がカム４７の切欠き部４８の中に飛び込んだ状態では、スイッチ１５がＯＦＦであるが、図１４で示すようにカム４７の外周部でレバー１６が接触している時は、スイッチ１５がＯＮとなる。【００３２】上記のように、カム４７とスイッチ１５を追加すれば、１つの楽曲ごとにオルゴールの演奏を停止させる用途への展開が可能となる。
【図面の簡単な説明】
【００３３】
【図１】  本考案の一実施形態のホルダーにカセットを装着した時の平面図である。
【図２】  図１の側面図である。（一部断面図）
【図３】  ホルダーを示す平面図である
【図４】  図３のホルダーの側面図である。
【図５】  図３のホルダーの裏面図である。
【図６】  （ａ）  駆動部の平面図である。  （ｂ）  （ａ）の側面図である。
【図７】  （ａ）  カセット保持部材の平面図である。  （ｂ）  （ａ）の側面図である。
【図８】  カセットを示す平面図である。（一部断面図）
【図９】  図８のカセットの側面図である。（一部断面図）
【図１０】  図８のカセットの裏面図である。
【図１１】  （ａ）  オルゴール部の平面図である。  （ｂ）  （ａ）の側面図である。
【図１２】  （ａ）  別の実施形態例のオルゴール部の平面図である。  （ｂ）  （ａ）の側面図である。
【図１３】  別の実施形態例のホルダーにカセットを装着した時の側面図である。（一部断面図）
【図１４】  図１３の動作説明用拡大図である。（一部断面図）
【符号の説明】
【００３４】１０  ホルダー
１１  ベースプレート
１２  凹部
１３  切欠き穴
１４  取付穴
１５  スイッチ
１６  レバー
２０  駆動部
２１  駆動源
２２  プレート
２３  伝達歯車
２４  駆動歯車
３０  カセット
３１  下ケース
３２  上ケース
３３  穴
４０  オルゴール部
４１  ドラム
４２  ドラム歯車
４３  振動板
４４  フレーム
４５  振動弁
４６  カム
４７  切欠き部
５０  保持部材
５１  顎部
【図１】
0003123291.tif 000003
【図２】
0003123291.tif 000004
【図３】
0003123291.tif 000005
【図４】
0003123291.tif 000006
【図５】
0003123291.tif 000007
【図６】
0003123291.tif 000008
【図７】
0003123291.tif 000009
【図８】
0003123291.tif 000010
【図９】
0003123291.tif 000011
【図１０】
0003123291.tif 000012
【図１１】
0003123291.tif 000013
【図１２】
0003123291.tif 000014
【図１３】
0003123291.tif 000015
【図１４】
0003123291.tif 000016